(57)【要約】【課題】レンズ鏡筒のズームリングを容易に回転操作することが出来るカメラの防水構造を提供する。【解決手段】本発明のカメラ用防水ケースにおいて、レンズ鏡筒２を収容するケース体39は、カメラ本体１に脱着可能な固定筒部材31と、固定筒部材31の前方開口部に相対回転可能に連結された回転筒部材32と、回転筒部材32の内部に収容されて往復移動可能な可動筒部材９とを具えている。固定筒部材31には、カメラ本体１との接合部に第１シール部が設けられ、固定筒部材31と回転筒部材32との接合部には第２シール部が設けられ、回転筒部材32と可動筒部材９との接合部には第３シール部が設けられる。回転筒部材32の内周面には、レンズ鏡筒２のズームリングの外周面に接触する係合面37が設けられ、回転筒部材32と可動筒部材９との間には、回転筒部材32の回転を可動筒部材９の往復移動に変換するカム機構が介在している。【選択図】図８
2013186326.tif 000002
【特許請求の範囲】
【請求項１】
ズーム操作のためのズームリングを具えたレンズ鏡筒がカメラ本体に脱着可能に取り付けられているカメラに用いる防水ケースであって、
カメラ本体に取り付けられたレンズ鏡筒を収容することが可能な円筒状のケース体を具え、該ケース体は、カメラ本体に脱着可能に取り付けることが可能な固定筒部材と、固定筒部材の前方開口部に固定筒部材と同軸上で相対回転可能に連結された回転筒部材と、回転筒部材の内部に収容されて回転筒部材の筒軸に沿って往復移動可能に配備された可動筒部材とを具え、可動筒部材の前方開口は透明板によって塞がれており、
固定筒部材には、カメラ本体との接合部に、ケース体の筒軸を包囲する環状の第１シール部が設けられ、固定筒部材と回転筒部材との接合部には、ケース体の筒軸を包囲する環状の第２シール部が設けられ、回転筒部材と可動筒部材との接合部には、ケース体の筒軸を包囲する環状の第３シール部が設けられており、
回転筒部材の内周面には、レンズ鏡筒のズームリングの外周面に接触してズームリングを回転筒部材と一体に回転させる係合面が設けられており、
回転筒部材と可動筒部材との間には、回転筒部材の回転を可動筒部材の往復移動に変換する変換機構が介在していることを特徴とするカメラ用防水ケース。
【請求項２】
前記変換機構はカム機構である請求項１に記載のカメラ用防水ケース。
【請求項３】
前記係合面は、レンズ鏡筒のズームリングの外周面に圧接されるものである請求項１又は請求項２に記載のカメラ用防水ケース。
【請求項４】
前記第１シール部は、固定筒部材とカメラ本体によって挟圧されるべきＯリングによって構成され、前記第２シール部は、固定筒部材と回転筒部材によって挟圧されるＯリングによって構成され、前記第３シール部は、外周部が回転筒部材に連結されると共に内周部に形成された舌片部が可動筒部材の外周面に摺接するリング状シール部材によって構成されている請求項１乃至請求項３の何れかに記載のカメラ用防水ケース。
【請求項５】
ズーム操作のためのズームリングを具えたレンズ鏡筒がカメラ本体に脱着可能に取り付けられているカメラにおいて、
カメラ本体には、レンズ鏡筒を収容することが可能な円筒状のケース体を具えた防水ケースが、レンズ鏡筒と同軸上に脱着可能に取り付けられ、該ケース体は、カメラ本体に脱着可能に取り付けることが可能な固定筒部材と、固定筒部材の前方開口部に固定筒部材と同軸上で相対回転可能に連結された回転筒部材と、回転筒部材の内部に収容されて回転筒部材の筒軸に沿って往復移動可能に配備された可動筒部材とを具え、可動筒部材の前方開口は透明板によって塞がれており、
固定筒部材には、カメラ本体との接合部に、ケース体の筒軸を包囲する環状の第１シール部が設けられ、固定筒部材と回転筒部材との接合部には、ケース体の筒軸を包囲する環状の第２シール部が設けられ、回転筒部材と可動筒部材との接合部には、ケース体の筒軸を包囲する環状の第３シール部が設けられており、
回転筒部材の内周面には、レンズ鏡筒のズームリングの外周面に接触してズームリングを回転筒部材と一体に回転させる係合面が設けられており、
回転筒部材と可動筒部材との間には、回転筒部材の回転を可動筒部材の往復移動に変換する変換機構が介在していることを特徴とするカメラの防水構造。
【請求項６】
前記変換機構はカム機構である請求項５に記載のカメラの防水構造。
【請求項７】
前記カム機構は、カメラ本体に防水ケースを取り付けるときの固定筒部材の回転に伴って機能すべき第１のカム曲線と、カメラ本体に防水ケースが取り付けられた状態で該防水ケースの回転筒部材の回転に伴って機能すべき第２のカム曲線とを有し、第１のカム曲線は、回転筒部材の回転によっては可動筒部材が移動しない様に規定され、第２のカム曲線は、回転筒部材の回転によって可動筒部材が移動する様に規定されている請求項６に記載のカメラの防水構造。
【請求項８】
前記係合面は、レンズ鏡筒のズームリングの外周面に圧接されるものである請求項５乃至請求項７の何れかに記載のカメラの防水構造。
【請求項９】
前記第１シール部は、固定筒部材とカメラ本体によって挟圧されるべきＯリングによって構成され、前記第２シール部は、固定筒部材と回転筒部材によって挟圧されるＯリングによって構成され、前記第３シール部は、外周部が回転筒部材に連結されると共に内周部に形成された舌片部が可動筒部材の外周面に摺接するリング状シール部材によって構成されている請求項５乃至請求項８の何れかに記載のカメラの防水構造。
【請求項１０】
レンズ鏡筒は、カメラ本体に脱着可能に取り付けられるべき固定鏡筒部と、固定鏡筒部と同軸上に配備されて固定鏡筒部の筒軸に沿って往復移動可能な可動鏡筒部とを具え、固定鏡筒部と同軸上に前記ズームリングが配備されて、ズームリングの回転に連動して可動鏡筒部が往復移動する請求項５乃至請求項９の何れかに記載のカメラの防水構造。
【発明の詳細な説明】
【技術分野】
【０００１】
本発明は、沈胴式レンズ鏡筒を具えたカメラ、一眼レフカメラ、或いはミラーレス一眼カメラの如く、カメラ本体にレンズ鏡筒が脱着可能に取り付けられたカメラの防水構造に関するものである。
【背景技術】
【０００２】
従来、この種のカメラの防水若しくは防滴(以下、単に防水と称する)を図るべく、カメラ本体を構成する筐体を防水構造とすると共に、レンズ鏡筒を防水構造とすることが提案されている(例えば特許文献１)。
しかしながら、この様なカメラにおいては、撮影シーンに応じて複数のレンズ鏡筒を交換しつつ撮影が行なわれるにも拘わらず、これら複数のレンズ鏡筒として防水構造を有する特別なものを使用せねばならず、レンズ鏡筒の汎用性に欠ける問題があった。
【０００３】
そこで、カメラ本体にレンズ鏡筒が脱着可能に取り付けられたカメラの全体を収納するゴム製の防水ケースによって、カメラの防水を図ることが提案されている(特許文献２)。
この様な防水ケースによれば、防水構造を有しない一般的なレンズ鏡筒が取り付けられたカメラであっても防水を図ることが可能である。
【先行技術文献】
【特許文献】
【０００４】
【特許文献１】特開２０１１−１５４２８８号公報
【特許文献２】特開２０１２−１８２０５号公報
【発明の概要】
【発明が解決しようとする課題】
【０００５】
しかしながら、上述のゴム製防水ケースによるカメラの防水構造では、カメラの機種毎にカメラ本体の外形や大きさが異なるため、機種毎に外形や大きさの異なる防水ケースを用意せねばならない。然も、レンズ鏡筒が脱着式でズームリングを回転させることによってズーム操作を行なうカメラの場合、ズームリングを防水ケースの上から回転操作することが困難であり、カメラ本体にズーム操作キーを具えたカメラに用途が限定される問題があった。
【０００６】
そこで本発明の目的は、防水構造を有しない一般的なレンズ鏡筒を装着したカメラの防水を図ることが可能であり、然もレンズ鏡筒のズームリングを容易に回転操作することが出来るカメラの防水構造を提供することである。
【課題を解決するための手段】
【０００７】
本発明に係るカメラ用防水ケース(３)は、ズーム操作のためのズームリング(23)を具えたレンズ鏡筒(２)がカメラ本体(１)に脱着可能に取り付けられているカメラに用いるものであって、
カメラ本体(１)に取り付けられたレンズ鏡筒(２)を収容することが可能な円筒状のケース体(39)を具え、該ケース体(39)は、カメラ本体(１)に脱着可能に取り付けることが可能な固定筒部材(31)と、固定筒部材(31)の前方開口部に固定筒部材(31)と同軸上で相対回転可能に連結された回転筒部材(32)と、回転筒部材(32)の内部に収容されて回転筒部材(32)の筒軸に沿って往復移動可能に配備された可動筒部材(９)とを具え、可動筒部材(９)の前方開口は透明板(30)によって塞がれている。
【０００８】
固定筒部材(31)には、カメラ本体(１)との接合部に、ケース体(39)の筒軸を包囲する環状の第１シール部が設けられ、固定筒部材(31)と回転筒部材(32)との接合部には、ケース体(39)の筒軸を包囲する環状の第２シール部が設けられ、回転筒部材(32)と可動筒部材(９)との接合部には、ケース体(39)の筒軸を包囲する環状の第３シール部が設けられている。
【０００９】
回転筒部材(32)の内周面には、レンズ鏡筒(２)のズームリング(23)の外周面に接触してズームリング(23)を回転筒部材(32)と一体に回転させる係合面(37)が設けられている。
又、回転筒部材(32)と可動筒部材(９)との間には、回転筒部材(32)の回転を可動筒部材(９)の往復移動に変換するカム機構が介在している。
【００１０】
カメラ本体(１)は、レンズ鏡筒(２)からの光線を内部に取り入れるための撮影窓(16)を除き、筐体が防水構造を有している。
【００１１】
又、レンズ鏡筒(２)は、カメラ本体(１)に脱着可能に取り付けられるべき固定鏡筒部(21)と、固定鏡筒部(21)と同軸上に配備されて固定鏡筒部(21)の筒軸に沿って往復移動可能な可動鏡筒部(22)とを具え、固定鏡筒部(21)と同軸上に前記ズームリング(23)が配備されて、ズームリング(23)の回転に連動して可動鏡筒部(22)が往復移動する。
【００１２】
レンズ鏡筒(２)が装着されたカメラ本体(１)に上記本発明の防水ケース(３)を取り付けることによって、レンズ鏡筒(２)は、防水ケース(３)のケース体(39)に収容される。又、防水ケース(３)の回転筒部材(32)の内周面に設けられた係合面(37)が、レンズ鏡筒(２)のズームリング(23)の外周面に接触する。
【００１３】
この状態で、防水ケース(３)の回転筒部材(32)を筒軸回りに回転させると、該回転筒部材(32)の回転と一体にズームリング(23)が回転し、レンズ鏡筒(２)の可動鏡筒部(22)が固定鏡筒部(21)に対して筒軸方向に往復移動し、ズーム調整が行なわれることになる。
【００１４】
又、防水ケース(３)の回転筒部材(32)の回転が可動筒部材(９)の往復移動に変換され、レンズ鏡筒(２)の可動鏡筒部(22)の前進後退に同期して、防水ケース(３)の可動筒部材(９)が前進後退する。
従って、防水ケース(３)の伸張状態における内部空間の筒軸方向の長さをレンズ鏡筒(２)の伸張状態における筒状方向の長さよりも僅かに大きく設計することが可能であり、これによって、防水ケース(３)を装着した状態での撮影時、特にレンズ鏡筒(２)の可動鏡筒部(22)を後退させた状態(収縮状態)での撮影時に、可動筒部材(９)の内周面が画角に含まれることが回避される。又、レンズ鏡筒(２)の可動鏡筒部(22)を前進させたときに、該可動鏡筒部(22)の先端が防水ケース(３)の透明板(30)に当接することはない。
【００１５】
回転筒部材(32)の前方開口は透明板(30)によって塞がれているので、回転筒部材(32)と透明板(30)の間から水が浸入することはない。又、第１シール部によってカメラ本体(１)とレンズ鏡筒(２)との間の防水が図られ、第２シール部によって防水ケース(３)の固定筒部材(31)と回転筒部材(32)との間の防水が図られ、第３シール部によって防水ケース(３)の回転筒部材(32)と可動筒部材(９)との間の防水が図られているので、レンズ鏡筒(２)の内部やレンズ鏡筒(２)とカメラ本体(１)の接合部から内部へ水が浸入する虞は殆どない。
【発明の効果】
【００１６】
本発明に係るカメラ用防水ケース及びこれを用いたカメラの防水構造によれば、レンズ鏡筒(２)が防水構造を有しない一般的なものであったとしても、防水ケース(３)の装着によって、レンズ鏡筒(２)並びにレンズ鏡筒(２)のカメラ本体(１)との接合部に対して防水を図ることが可能であり、然も防水ケース(３)の回転筒部材(32)の回転操作によりレンズ鏡筒(２)のズームリング(23)を容易に回転させて、ズーム調整を行なうことが出来る。
【図面の簡単な説明】
【００１７】
【図１】図１は、本発明に係るカメラの一実施形態において防水ケースの収縮状態を示す斜視図である。
【図２】図２は、該カメラにおいて防水ケースの伸張状態を示す斜視図である。
【図３】図３は、該カメラにおいて防水ケースのロック解除状態を示す斜視図である。
【図４】図４は、該カメラから防水ケースを取り外した状態を示す斜視図である。
【図５】図５は、レンズ鏡筒が装着されたカメラ本体の斜視図である。
【図６】図６は、カメラ本体からレンズ鏡筒を取り外した状態を示す斜視図である。
【図７】図７は、防水ケースの収縮状態におけるカメラの鉛直断面図である。
【図８】図８は、防水ケースの伸張状態におけるカメラの鉛直断面図である。
【図９】図９は、防水ケースの回転筒部材に形成されているカム溝を示す図である。
【図１０】図１０は、防水ケースの回転筒部材のカム溝に沿って可動筒部材のカムフォロワーが相対移動する過程を示す図である。
【図１１】図１１は、防水ケースの後方側の構成を示す分解斜視図である。
【図１２】図１２は、防水ケースの前方側の構成を示す分解斜視図である。
【図１３】図１３は、第１シール部の拡大断面図である。
【図１４】図１４は、第２シール部の拡大断面図である。
【図１５】図１５は、第３シール部の拡大断面図である。
【図１６】図１６は、カメラ本体とレンズ鏡筒及び防水ケースとの連結部を示す水平断面図である。
【図１７】図１７は、ロック／ロック解除機構の拡大断面図である。
【図１８】図１８は、カメラ本体のキャビネットフロント部に設けられたロック／ロック解除機構を示す斜視図である。
【図１９】図１９は、ロック／ロック解除機構、並びにカメラ本体のレンズ鏡筒接合部を、キャビネットフロント部の背面側から見た分解斜視図である。
【図２０】図２０は、ロック／ロック解除機構をキャビネットフロント部の前面側から見た分解斜視図である。
【図２１】図２１は、カメラ本体のレンズ鏡筒接合部をキャビネットフロント部の前面側から見た分解斜視図である。
【発明を実施するための形態】
【００１８】
以下、本発明をデジタルカメラに実施した形態につき、図面に沿って具体的に説明する。尚、以下の説明においては、デジタルカメラの撮影方向を前方と称し、その逆方向を後方と称する。又、「防滴」を含む概念として「防水」を使用する。
【００１９】
本発明の一実施形態であるデジタルカメラは、図５及び図６に示す如く、カメラ本体(１)と、カメラ本体(１)のキャビネットフロント部(12)に対して脱着可能に取り付けられたレンズ鏡筒(２)とを具えると共に、図１〜図４に示す如く、カメラ本体(１)のキャビネットフロント部(12)に対して脱着可能に取り付けられてレンズ鏡筒(２)を収容する防水ケース(３)を具えている。
【００２０】
カメラ本体(１)のキャビネットフロント部(12)には、図６に示す如くレンズ鏡筒(２)からの光線をカメラ本体(１)の内部に取り入れるための撮影窓(16)が開設され、該キャビネットフロント部(12)には、撮影窓(16)を包囲して、レンズ鏡筒(２)を取り付けるための鏡筒固定リング(５)と、前記防水ケース(３)を取り付けるためのケース固定リング(６)とが配備されている。
【００２１】
又、カメラ本体(１)のキャビネットフロント部(12)には、レンズ鏡筒(２)及び防水ケース(３)をそれぞれカメラ本体(１)から取り外す際に操作すべきロック解除釦(11)が配備されている。
【００２２】
尚、カメラ本体(１)は、撮影窓(16)を除いて筐体が防水構造を有している。該防水構造としては、従来より種々の電子機器の筐体に用いられている周知の構造を採用することが出来る。
【００２３】
レンズ鏡筒(２)は、カメラ本体(１)の鏡筒固定リング(５)に対して脱着可能に取り付けられるべき固定鏡筒部(21)と、固定鏡筒部(21)と同軸上に配備されて固定鏡筒部(21)の筒軸に沿って往復移動可能な可動鏡筒部(22)と、固定鏡筒部(21)と同軸上に回転可能に配備されたズームリング(23)とを具え、ズームリング(23)の回転に連動して可動鏡筒部(22)が前後方向に往復移動し、可動鏡筒部(22)が最も後退した位置(Ｗ端)で最も小さなズーム率が設定され、可動鏡筒部(22)が最も前進した位置(Ｔ端)で最も大きなズーム率が設定される。
【００２４】
ズームリング(23)の外周面は、円筒状の弾性部材によって形成されており、該外周面に指を掛けたときの摩擦抵抗によってズームリング(23)の回転操作が容易なものとなっている。
又、固定鏡筒部(21)には、カメラ本体(１)との対向面に形成された凹部に、図１３に示すＯリング(42)が嵌まっている。
【００２５】
上記レンズ鏡筒(２)においては、ズームリング(23)を回転させて可動鏡筒部(22)を前後方向に往復移動させることによって、ズーム調整を行なうことが出来る。
【００２６】
防水ケース(３)は、図７及び図８に示す如く、カメラ本体(１)に取り付けられたレンズ鏡筒(２)を収容することが可能な円筒状のケース体(39)を具え、該ケース体(39)は合成樹脂製であって、カメラ本体(１)に脱着可能に取り付けることが可能な固定筒部材(31)と、固定筒部材(31)の開口端に固定筒部材(31)と同軸上で相対回転可能に連結された回転筒部材(32)と、回転筒部材(32)の内部に収容されて回転筒部材(32)の筒軸に沿って往復移動可能に配備された可動筒部材(９)とを具え、可動筒部材(９)の前方開口端には透明板(30)が接着固定されている。
防水ケース(３)は、回転筒部材(32)を回転させることによって可動筒部材(９)が前後方向に往復移動する。
【００２７】
図１１及び図１４に示す如く、防水ケース(３)を構成する固定筒部材(31)の内部には、円筒部(33a)及び円板部(33b)からなる合成樹脂製のリング部材(33)が嵌合し、該リング部材(33)は、３本のビス(35)がそれぞれ円板部(33b)から図１２に示す回転筒部材(32)のボス(34)へねじ込まれることによって、回転筒部材(32)と締結される。
【００２８】
そして、図１４に示す如く、回転筒部材(32)の後方側の端部とリング部材(33)との間には、固定筒部材(31)の前方側の端部(31a)が挟持され、これによって、固定筒部材(31)と回転筒部材(32)とが同軸上にて互いに相対回転可能に連結されている。
【００２９】
リング部材(33)の円筒部(33a)の内周面には、レンズ鏡筒(２)のズームリング(23)の外周面(26)に圧接されるべき円筒面状の係合面(37)が形成されている。ここで、ズームリング(23)の外周面(26)とリング部材(33)の係合面(37)はそれぞれ、前方へ向かって僅かに縮径するテーパ面状に形成され、ズームリング(23)の外周面(26)の外径は、リング部材(33)の係合面(37)の内径よりも僅かに大きく形成されている。
【００３０】
そして、リング部材(33)の係合面(37)には、リング部材(33)の筒軸方向に延びる複数本の突条部(図示省略)が形成されており、該係合面(37)がズームリング(23)の外周面(26)に圧接されることによって、ズームリング(23)の外周面(26)が僅かに弾性変形し、ズームリング(23)の外周面(26)とリング部材(33)の係合面(37)とは、摩擦抵抗を伴って互いに圧着している。斯くして、回転筒部材(32)の回転に伴ってズームリング(23)が一体に回転することが可能となっている。
【００３１】
防水ケース(３)の固定筒部材(31)と回転筒部材(32)との接合部には、固定筒部材(31)の前方側の端部(31a)を包囲して延びるＯリング(41)が介在し、該Ｏリング(41)は、固定筒部材(31)と回転筒部材(32)によって挟圧されている。該Ｏリング(41)によって、固定筒部材(31)と回転筒部材(32)の間の防水を図るシール部(第２シール部)が構成されることになる。
【００３２】
固定筒部材(31)に対して回転筒部材(32)が回転する過程で、Ｏリング(41)は何れかの筒部材に対して摺動し、防水性能を維持したまま、回転筒部材(32)の回転を許容する。
【００３３】
又、図１１及び図１３に示す如く、防水ケース(３)を構成する固定筒部材(31)には、カメラ本体(１)との対向面に形成された環状凹部(31b)に、固定筒部材(31)の筒軸を包囲して延びるＯリング(４)が嵌まっている。
【００３４】
図１１に示す如く、固定筒部材(31)の前方端部(31a)には、該前方端部(31a)よりも稍小径の円筒部(97)が突設されており、該円筒部(97)の外周面には、筒軸方向に延びる３本のガイド溝(98)(98)(98)が、互いに１２０度の位相差で形成されている。
【００３５】
図１２に示す如く、回転筒部材(32)は、前記固定筒部材(31)の円筒部(97)の外径よりも稍大きな内径と固定筒部材(31)と同等の外径とを有し、該回転筒部材(32)の内周面には、筒軸を中心としてそれぞれ螺旋状に延びる３本のカム溝(95)(95)(95)が、互いに１２０度の位相差で凹設されている。
【００３６】
可動筒部材(９)は、回転筒部材(32)の内径よりも僅かに小さな外径を有して、回転筒部材(32)の内部に回転可能且つ往復移動可能に収容されており、その外周面の後方端縁には、外向き径方向に突出する３つのカムフォロワー(93)(93)(93)が、互いに１２０度の位相差で形成されている。又、可動筒部材(９)の内周面には、筒軸方向に延びる３本の凸条(94)(94)(94)が、互いに１２０度の位相差で形成されている。
尚、可動筒部材(９)は、前記固定筒部材(31)の円筒部(97)の外径よりも稍大きな内径に形成されている。
【００３７】
可動筒部材(９)が回転筒部材(32)の内部に収容された状態で、可動筒部材(９)の各カムフォロワー(93)は回転筒部材(32)の各カム溝(95)に摺動可能に係合する。
又、可動筒部材(９)が回転筒部材(32)の内部に収容され、且つ可動筒部材(９)の内部に、固定筒部材(31)の円筒部(97)が収容された状態で、可動筒部材(９)の凸条(94)が固定筒部材(31)の円筒部(97)のガイド溝(98)に摺動可能に係合する。
【００３８】
従って、固定筒部材(31)に対して、可動筒部材(９)は回転不能且つ筒軸方向の往復移動が可能に連結され、且つ、回転筒部材(32)は筒軸方向の移動が不能且つ筒軸回りの回転が可能に連結されている。
【００３９】
回転筒部材(32)の各カム溝(95)は、図９に示す如く、固定筒部材(31)の筒軸に対して直交して延びる水平部(951)と、該水平部(951)の一方の端縁から筒軸に対して傾斜して延びる傾斜部(952)とを有している。
回転筒部材(32)を反時計回りに回転させることによって、図１０に示す如くカムフォロワー(93)は、カム溝(95)の水平部(951)の始端位置(93a)から、水平部(951)と傾斜部(952)の境界位置(93b)を経て、傾斜部(952)の終端位置(93c)まで移動する。
【００４０】
ここで、カム溝(95)の水平部(951)の始端位置(93a)が、カメラ本体(１)に防水ケース(３)を装着すべきセット位置となり、水平部(951)と傾斜部(952)の境界位置(93b)が、レンズ鏡筒(２)及び防水ケース(３)を最も収縮させて最小ズーム率を設定する位置(Ｗ端)となり、傾斜部(952)の終端位置(93c)が、レンズ鏡筒(２)及び防水ケース(３)を最も伸張させて最大ズーム率を設定する位置(Ｔ端)となる。
【００４１】
図１２に示す如く、回転筒部材(32)の前方端部には、リング状シール部材(45)を介して、前面リング(92)が取り付けられ、４本のビス(96)が回転筒部材(32)の鍔部(32a)から前面リング(92)へねじ込まれることによって、回転筒部材(32)に前面リング(92)が固定されると共に、回転筒部材(32)と前面リング(92)とによってリング状シール部材(45)の基端部が挟持されている。
【００４２】
リング状シール部材(45)は、図１５に示す如く回転筒部材(32)の前方端部(32b)の外周面を覆う円筒部(45a)と、回転筒部材(32)の前方端部(32b)の端面に沿ってリング状に延びる円板部(45b)と、可動筒部材(９)の外周面に向かって斜め方向に延びるリング状の舌片部(45c)とから構成され、リング状シール部材(45)の円板部(45b)が回転筒部材(32)と前面リング(92)とによって挟持されると共に、舌片部(45c)の先端部がその弾性反発力によって可動筒部材(９)の外周面に圧接されている。
【００４３】
従って、回転筒部材(32)の回転によって可動筒部材(９)が往復移動する過程で、リング状シール部材(45)の舌片部(45c)は可動筒部材(９)の外周面に圧接されつつ該外周面上を摺動し、前面リング(92)と可動筒部材(９)との隙間からケース体(39)の内部へ向かう水の浸入を阻止する。
斯くして、リング状シール部材(45)によって、回転筒部材(32)と可動筒部材(９)との間にシール部(第３シール部)が構成されることになる。
【００４４】
上記防水ケース(３)においては、回転筒部材(32)のカム溝(95)が後方から前方へ向かって反時計方向に旋回する様に延びているので、図１に矢印で示す如く回転筒部材(32)をカメラ本体(１)に向かって反時計方向に回転させると、図２に示す如く可動筒部材(９)が前進し、図２に矢印で示す如く回転筒部材(32)をカメラ本体(１)に向かって時計方向に回転させると、図１に示す如く可動筒部材(９)が後退することになる。
斯くして、回転筒部材(32)の回転を可動筒部材(９)の往復移動に変換するカム機構が構成される。
【００４５】
図６に示す如く、鏡筒固定リング(５)には、互いに１２０度の位相角度で円弧線上を延びる３つの被係合リブ(51)(51)(51)が突設される一方、図１３に示す如くレンズ鏡筒(２)の固定鏡筒部(21)には、鏡筒固定リング(５)の各被係合リブ(51)と対応する位置に、円弧線上を延びる３つの係合リブ(25)(25)(25)が突設されている。
【００４６】
鏡筒固定リング(５)に対してレンズ鏡筒(２)の固定鏡筒部(21)を所定の相対角度姿勢で押圧しつつ反時計回りに約３０度回転させてねじ込み、各係合リブ(25)を各被係合リブ(51)に係合させることより、カメラ本体(１)にレンズ鏡筒(２)を脱着可能に取り付けることが出来る。
係る構成は、従来のカメラにおいてレンズ鏡筒を脱着可能に取り付ける構成と同じである。
【００４７】
カメラ本体(１)にレンズ鏡筒(２)を取り付けることによって、レンズ鏡筒(２)に配備されたＯリング(42)が、レンズ鏡筒(２)の固定鏡筒部(21)とカメラ本体(１)との間で挟圧され、該Ｏリング(42)によってレンズ鏡筒(２)とカメラ本体(１)との間にシール部が構成される。
【００４８】
図４に示す如く、ケース固定リング(６)には、互いに１２０度の位相角度で円弧線上を延びる３つの被係合リブ(61)(61)(61)が突設される一方、防水ケース(３)の固定筒部材(31)には、図１３に示す如くケース固定リング(６)の各被係合リブ(61)と対応する位置に、円弧線上を延びる３つの係合リブ(36)(36)(36)が突設されている。
【００４９】
図３及び図４に示す如く、カメラ本体(１)に設けられた指標(1a)と防水ケース(３)に設けられた指標(3a)とを合致させる相対角度姿勢で、ケース固定リング(６)に対して防水ケース(３)の固定筒部材(31)を押圧しつつ、図３に矢印で示す様に固定筒部材(31)を時計回りに約３０度回転させてねじ込み、各係合リブ(36)を各被係合リブ(61)に係合させることより、カメラ本体(１)に防水ケース(３)を脱着可能に取り付けることが出来る。
係る構成は、カメラ本体(１)にレンズ鏡筒(２)を脱着可能に取り付ける構成と同様である。
【００５０】
カメラ本体(１)に防水ケース(３)を取り付けることによって、Ｏリング(４)が防水ケース(３)の固定筒部材(31)とケース固定リング(６)との間で挟圧され、該Ｏリング(４)によって固定筒部材(31)とケース固定リング(６)の間にシール部(第１シール部)が構成される。
【００５１】
更に、カメラ本体(１)とケース固定リング(６)の間にＯリング(43)が介在して、該Ｏリング(43)によってカメラ本体(１)とケース固定リング(６)の間にシール部が構成される。
【００５２】
カメラ本体(１)に防水ケース(３)を取り付けるべく、図３に矢印で示す様に防水ケース(３)の固定筒部材(31)を時計回りに約３０度回転させる過程では、可動筒部材(９)のカムフォロワー(93)が回転筒部材(32)のカム溝(95)の水平部(951)を摺動し、この過程では、回転筒部材(32)の回転に拘わらず可動筒部材(９)は移動しない。
【００５３】
防水ケース(３)の固定筒部材(31)の時計回りの回転に伴って回転筒部材(32)も時計回りの回転トルクを受けるが、回転筒部材(32)はレンズ鏡筒(２)のズームリング(23)と一体回転可能に係合しており、レンズ鏡筒(２)の収縮状態ではズームリング(23)はそれ以上、時計回りに回転し得ないので、防水ケース(３)の回転筒部材(32)も時計回りには回転しない。
従って、防水ケース(３)は、回転筒部材(32)が回転を阻止された状態で、固定筒部材(31)のみが時計回りに回転することになる。
【００５４】
この様に、防水ケース(３)は、カメラ本体(１)に取り付ける過程で、固定筒部材(31)に対して相対的に、回転筒部材(32)が反時計回りに約３０度回転することになるが、上述の如く、可動筒部材(９)のカムフォロワー(93)が回転筒部材(32)のカム溝(95)の水平部(951)を摺動することによって、可動筒部材(９)は移動しないので、レンズ鏡筒(２)の可動鏡筒部(22)と防水ケース(３)の可動筒部材(９)との相対位置に変化はない。
【００５５】
その後、回転筒部材(32)を更に反時計回りに回転させることによって、カムフォロワー(93)がカム溝(95)の傾斜部(952)を摺動し、回転筒部材(32)の回転に伴って可動筒部材(９)が前進する。
カムフォロワー(93)がカム溝(95)の傾斜部(952)に摺接している状態では、図１に矢印で示す如く回転筒部材(32)をカメラ本体(１)に向かって反時計方向に回転させると、図２に示す如く可動筒部材(９)が前進すると共に、これに同期してレンズ鏡筒(２)の可動鏡筒部(22)が前進する(図８参照)。又、図２に矢印で示す如く回転筒部材(32)をカメラ本体(１)に向かって時計方向に回転させると、これに同期して、図１に示す如く可動筒部材(９)が後方へ後退すると共に、これに同期してレンズ鏡筒(２)の可動鏡筒部(22)が後退する(図７参照)。
【００５６】
ここで、防水ケース(３)の回転筒部材(32)の回転による可動筒部材(９)の移動量とレンズ鏡筒(２)の可動鏡筒部(22)の移動量とは同一、若しくは略同一となる様に、前記カム溝(95)の傾斜部(952)の傾斜角度が規定されている。
【００５７】
図１６に示す如く、キャビネットフロント部(12)とレンズ鏡筒(２)及び防水ケース(３)との接合部には、レンズ鏡筒(２)及び防水ケース(３)を装着状態でロックし、或いはそのロックを解除するロック／ロック解除機構(７)が配備されている。
【００５８】
ロック／ロック解除機構(７)は、図１７〜図２１に示す如く、鏡筒固定リング(５)のレンズ鏡筒(２)との接合面に出没可能に配備されてバネ(83)によって突出方向に付勢された鏡筒ロックピン(72)と、ケース固定リング(６)の防水ケース(３)との接合面に出没可能に配備されてバネ(82)によって突出方向に付勢されたケースロックピン(74)と、レンズ鏡筒(２)の鏡筒固定リング(５)との接合面に凹設されて鏡筒ロックピン(72)の先端部が嵌入可能なピン穴(27)と、防水ケース(３)のケース固定リング(６)との接合面に凹設されてケースロックピン(74)の先端部が嵌入可能なピン穴(38)と、カメラ本体(１)に押下可能に配備されてバネ(８)によって突出方向へ付勢されたロック解除釦(11)と、ロック解除釦(11)と鏡筒ロックピン(72)の間に介在する第１可動部材(71)と、ロック解除釦(11)とケースロックピン(74)の間に介在する第２可動部材(73)とを有している。
【００５９】
そして、第１可動部材(71)の一方の端部が鏡筒ロックピン(72)と一体に連結されると共に、他方の端部がロック解除釦(11)の軸部(15)の下端面に対向している。第１可動部材(71)の他方の端部はバネ(81)によって前方へ付勢されている。
ロック解除釦(11)の軸部(15)の下端部と第１可動部材(71)の他方の端部との間には、圧縮方向に弾性変形可能な円盤状のパッキン(40)が介在している。
【００６０】
第１可動部材(71)の他方の端部には、ロック解除釦(11)側の表面に、座金片(75)が設置されており、バネ(83)(８)の付勢力によって、パッキン(40)がロック解除釦(11)の軸部(15)と座金片(75)との間で挟圧されている。
これによって、第１可動部材(71)の他方の端部がロック解除釦(11)を前方(突出方向)へ向かって押圧している。
【００６１】
又、第２可動部材(73)の一方の端部がケースロックピン(74)と一体に連結されると共に、他方の端部がロック解除釦(11)の外周部の下端面に対向しており、バネ(82)の付勢力によって、第２可動部材(73)の他方の端部がロック解除釦(11)の外周部の下端面に圧接されている。
これによって、第２可動部材(73)の他方の端部がロック解除釦(11)を前方(突出方向)へ向かって押圧している。
【００６２】
図１８に示す如く、キャビネットフロント部(12)は第１プレート(13)と第２プレート(14)の積層構造を有し、図１９に示す如く第１プレート(13)の背面に、パッキン(40)、座金片(75)、第１可動部材(71)、及びバネ(81)(83)の取付け部(19)が凹設されると共に、図２０に示す如く第１プレート(13)の前面に、バネ(８)(82)、第２可動部材(73)、及びロック解除釦(11)の取付け部(18)が凹設されている。
【００６３】
図１９及び図２１に示す如く、第２プレート(14)には、鏡筒固定リング(５)の前面部が臨出すべき円形窓(17)と、ロック解除釦(11)の頭部が臨出すべき円形孔(10)とが開設されると共に、鏡筒固定リング(５)に突設された保持片(53)に、ロック解除釦(11)の頭部が貫通すべき円形孔(54)が開設されている。
又、鏡筒固定リング(５)と第１プレート(13)との間には、Ｏリング(44)が介在している。
【００６４】
上記ロック／ロック解除機構(７)によれば、図１７に示す如く、ロック解除釦(11)とキャビネットフロント部(12)との間の隙間から水が浸入する虞があるが、パッキン(40)とＯリング(43)によって、カメラ本体(１)内部への水の浸入が阻止されている。
【００６５】
上記ロック／ロック解除機構(７)においては、ケースロックピン(74)のみをカメラ本体(１)側へ押し込むと、第１可動部材(71)のみが後退し、ケースロックピン(74)が同時に後退することはない。又、ケースロックピン(74)のみをカメラ本体(１)側へ押し込むと、第２可動部材(73)のみが後退し、鏡筒ロックピン(72)が同時に後退することはない。
ロック解除釦(11)を押下すると、第１可動部材(71)及び第２可動部材(73)が押し下げられ、これに伴って鏡筒ロックピン(72)及びケースロックピン(74)が同時に後退する。
【００６６】
上記のカメラにおいては、カメラ本体(１)にレンズ鏡筒(２)を装着するべく、カメラ本体(１)の鏡筒固定リング(５)に対して所定の相対角度姿勢でレンズ鏡筒(２)を押し付けると、該レンズ鏡筒(２)によって鏡筒ロックピン(72)が押下されて後退する。
【００６７】
この状態で、レンズ鏡筒(２)を反時計回りに約３０度回転させて鏡筒固定リング(５)にねじ込むことにより、レンズ鏡筒(２)がカメラ本体(１)に連結される。この時点で、カメラ本体(１)の鏡筒ロックピン(72)がレンズ鏡筒(２)のピン穴(27)に対向し、鏡筒ロックピン(72)がバネ(83)の付勢によってピン穴(27)に嵌入することになる。
この結果、レンズ鏡筒(２)の回転が拘束されて、レンズ鏡筒(２)はカメラ本体(１)にロックされる。
【００６８】
その後、カメラ本体(１)に防水ケース(３)を装着するべく、カメラ本体(１)のケース固定リング(６)に対して所定の相対角度姿勢で防水ケース(３)を押し付けることにより、該防水ケース(３)によってケースロックピン(74)が押下されて後退する。このとき、鏡筒ロックピン(72)が同時に後退することはないので、レンズ鏡筒(２)のロックが解除されることはない。
【００６９】
この状態で、防水ケース(３)を時計回りに約３０度回転させてケース固定リング(６)にねじ込むことにより、防水ケース(３)がカメラ本体(１)に連結される。この時点で、カメラ本体(１)のケースロックピン(74)が防水ケース(３)のピン穴(38)に対向し、ケースロックピン(74)がバネ(82)の付勢によってピン穴(38)に嵌入することになる。
この結果、防水ケース(３)がカメラ本体(１)にロックされる。
【００７０】
上記の防水ケース(３)の回転に伴ってレンズ鏡筒(２)が時計回りの回転トルクを受けたとしても、レンズ鏡筒(２)はロックされているので、レンズ鏡筒(２)のねじ込みが緩むことはない。
【００７１】
この様にして、カメラ本体(１)にレンズ鏡筒(２)及び防水ケース(３)を装着することによって、図７に示す如く防水ケース(３)のケース体(39)にレンズ鏡筒(２)が収容される。
又、防水ケース(３)の回転筒部材(32)の内周面に設けられた係合面(37)が、レンズ鏡筒(２)のズームリング(23)の外周面(26)に圧接される。
【００７２】
この状態で、防水ケース(３)の回転筒部材(32)に指を掛けて回転筒部材(32)を筒軸回りに回転させると、該回転筒部材(32)の回転と一体にズームリング(23)が回転し、これに伴ってレンズ鏡筒(２)の可動鏡筒部(22)が固定鏡筒部(21)に対して筒軸方向に往復移動し、ズーム調整が行なわれることになる。
【００７３】
ここで、回転筒部材(32)の前方開口端には透明板(30)が接着固定されているので、回転筒部材(32)と透明板(30)の間から水が浸入することはない。又、Ｏリング(４)を用いた第１シール部によってレンズ鏡筒(２)のカメラ本体(１)との接合部に防水が図られると共に、Ｏリング(41)を用いた第２シール部によってレンズ鏡筒(２)の固定筒部材(31)と回転筒部材(32)との間の防水が図られる。更に、リング状シール部材(45)を用いた第３シール部によって回転筒部材(32)と可動筒部材(９)との間の防水が図られる。
【００７４】
従って、レンズ鏡筒(２)が防水構造を有しない一般的なものであったとしても、防水ケース(３)の装着によって、レンズ鏡筒(２)並びにレンズ鏡筒(２)のカメラ本体(１)との接合部に対して防水を図ることが可能である。
然も、防水ケース(３)の回転筒部材(32)の回転操作によって、回転筒部材(32)回転角度と同じ角度だけレンズ鏡筒(２)のズームリング(23)を回転させることが出来るので、ズーム調整が容易なものとなる。
【００７５】
防水ケース(３)を取り外すときは、ロック解除釦(11)を押下する。これによって、カメラ本体(１)の鏡筒ロックピン(72)とケースロックピン(74)とが同時に後退し、レンズ鏡筒(２)のピン穴(27)と防水ケース(３)のピン穴(38)から抜け出して、レンズ鏡筒(２)及び防水ケース(３)のロックが解除され、レンズ鏡筒(２)及び防水ケース(３)の回転が許容される。
【００７６】
この状態で、防水ケース(３)の固定筒部材(31)を反時計回りに約３０度回転させることによって、防水ケース(３)のカメラ本体(１)との連結が解除され、取り外しが可能となる。このとき、防水ケース(３)の回転に伴ってレンズ鏡筒(２)が反時計回りの回転トルクを受けたとしても、レンズ鏡筒(２)のねじ込みが緩むことはない。
【００７７】
その後、カメラ本体(１)からレンズ鏡筒(２)を取り外すときは、カメラ本体(１)のロック解除釦(11)を押下しながら、レンズ鏡筒(２)の固定鏡筒部(21)を時計回りに約３０度回転させる。これによって、レンズ鏡筒(２)の取り外しが可能となる。
【００７８】
上記カメラによれば、図７及び図８に示す如く、防水ケース(３)の収縮状態及び伸張状態における筒軸方向の長さをレンズ鏡筒(２)の収縮状態及び伸張状態における筒状方向の長さよりも僅かに大きく設計することが可能であり、これによって、防水ケース(３)を装着した状態での撮影時、特にレンズ鏡筒(２)の可動鏡筒部(22)を後退させた状態(収縮状態)での撮影時に、可動筒部材(９)の内周面が画角に含まれることが回避される。
【００７９】
又、防水が不要な通常撮影時には、ロック解除釦(11)を操作することによって防水ケース(３)のロックが解除され、防水ケース(３)を取り外すことが出来るので、煩雑な操作は不要である。
【００８０】
又、防水ケース(３)のロック解除とレンズ鏡筒(２)のロック解除を共通のロック解除釦(11)によって行なうので、防水ケース(３)とレンズ鏡筒(２)のそれぞれについてロック解除釦を配備する場合よりもロック解除釦の数が減少し、ロック／ロック解除機構(７)の構成も簡易なものとなる。
【００８１】
本発明の各部構成は上記実施の形態に限らず、特許請求の範囲に記載の技術的範囲内で種々の変形が可能である。
例えば、防水ケース(３)の回転筒部材(32)と一体にレンズ鏡筒(２)のズームリング(23)を回転させる構成としては、ズームリング(23)の外周面(26)と防水ケース(３)のリング部材(33)の係合面(37)との間の圧接構造に限らず、凹凸の嵌合構造、歯面どうしの噛合構造など、種々の係合構造を採用することが出来る。
【符号の説明】
【００８２】
(１)  カメラ本体
(12)  キャビネットフロント部
(16)  撮影窓
(11)  ロック解除釦
(２)  レンズ鏡筒
(21)  固定鏡筒部
(22)  可動鏡筒部
(23)  ズームリング
(３)  防水ケース
(30)  透明板
(39)  ケース体
(31)  固定筒部材
(32)  回転筒部材
(33)  リング部材
(９)  可動筒部材
(93)  カムフォロワー
(94)  凸条
(95)  カム溝
(98)  ガイド溝
(４)  Ｏリング
(41)  Ｏリング
(45)  リング状シール部材
(５)  鏡筒固定リング
(６)  ケース固定リング
(７)  ロック／ロック解除機構
(71)  第１可動部材
(72)  鏡筒ロックピン
(73)  第２可動部材
(74)  ケースロックピン
【図１】
2013186326.tif 000003
【図２】
2013186326.tif 000004
【図３】
2013186326.tif 000005
【図４】
2013186326.tif 000006
【図５】
2013186326.tif 000007
【図６】
2013186326.tif 000008
【図７】
2013186326.tif 000009
【図８】
2013186326.tif 000010
【図９】
2013186326.tif 000011
【図１０】
2013186326.tif 000012
【図１１】
2013186326.tif 000013
【図１２】
2013186326.tif 000014
【図１３】
2013186326.tif 000015
【図１４】
2013186326.tif 000016
【図１５】
2013186326.tif 000017
【図１６】
2013186326.tif 000018
【図１７】
2013186326.tif 000019
【図１８】
2013186326.tif 000020
【図１９】
2013186326.tif 000021
【図２０】
2013186326.tif 000022
【図２１】
2013186326.tif 000023
【手続補正書】
【提出日】平成25年3月5日(2013.3.5)
【手続補正１】
【補正対象書類名】明細書
【補正対象項目名】０００４
【補正方法】変更
【補正の内容】
【０００４】
【特許文献１】特開２０１１−１５４２８６号公報
【特許文献２】特開２０１２−１８２０５号公報